(57)【要約】【課題】  ＥＣＧサービスの利便性を高めることができる放送番組提供システム等を提供する。【解決手段】  放送番組提供システムは，放送番組提供装置と，ＥＣＧ情報を提供するＥＣＧ情報提供装置と，放送番組とＥＣＧ情報とを受信可能な放送受信端末とを含んでいる。放送受信端末は，所定のとりおきイベントに応じてＥＣＧ情報に誘導するとりおき情報をＥＣＧ情報から獲得するとりおき情報獲得装置を備えている。さらに，システムは，とりおき情報を保存するとりおき情報保存場所と，所定の閲覧イベントに応じてとりおき情報に基づいてＥＣＧ情報を獲得し，閲覧可能にする閲覧端末を備えている。かかる構成により，ユーザは，視聴時間や視聴環境にとらわれずにＥＣＧ情報にアクセスできる。【選択図】  図１
2005341068.tif 000002
【特許請求の範囲】
【請求項１】
放送番組を提供する放送番組提供装置と，前記放送番組に関連する電子コンテンツ案内情報を提供する電子コンテンツ案内情報提供装置と，前記放送番組と前記電子コンテンツ案内情報とを受信可能な放送受信端末とを含む放送番組提供システムにおいて：
前記放送受信端末は，所定のとりおきイベントに応じて，前記電子コンテンツ案内情報に誘導するとりおき情報を，前記電子コンテンツ案内情報から獲得するとりおき情報獲得装置を備え；
さらに，前記放送番組提供システムは：
前記とりおき情報を保存するとりおき情報保存場所と；
所定の閲覧イベントに応じて，前記とりおき情報保存場所に保存された前記とりおき情報に基づいて電子コンテンツ案内情報を獲得し，閲覧可能にする閲覧端末と；
を備えたことを特徴とする，放送番組提供システム。
【請求項２】
前記とりおき情報保存場所は，前記電子コンテンツ案内情報提供装置内に設置されることを特徴とする，請求項１に記載の放送番組提供システム。
【請求項３】
前記放送番組提供システムは，とりおきサーバを備えており，前記とりおき情報保存場所は，前記とりおきサーバ内に設置されることを特徴とする，請求項１に記載の放送番組提供システム。
【請求項４】
前記とりおき情報保存場所は，外部記録メディア内に設置されることを特徴とする，請求項１に記載の放送番組提供システム。
【請求項５】
前記とりおき情報保存場所は，所定のアドレスに向けて発信されるメールであることを特徴とする，請求項１に記載の放送番組提供システム。
【請求項６】
放送番組提供装置から提供される放送番組と電子コンテンツ案内情報提供装置から提供される電子コンテンツ案内情報とを受信可能な放送受信端末であって：
所定のとりおきイベントに応じて，前記電子コンテンツ案内情報に誘導するとりおき情報を，前記電子コンテンツ案内情報から獲得するとりおき情報獲得装置を備えたことを特徴とする，放送受信端末。
【請求項７】
前記とりおきイベントは，前記放送受信端末に放送番組の視聴中に入力されるオンタイムイベントであることを特徴とする，請求項６に記載の放送受信端末。
【請求項８】
前記とりおきイベントは，前記放送受信端末に事前設定される事前設定イベントであることを特徴とする，請求項６に記載の放送受信端末。
【請求項９】
さらに，前記とりおき情報を保存するとりおき情報保存場所を備えていることを特徴とする，請求項６に記載の放送受信端末。
【請求項１０】
前記事前設定イベントは，ユーザの嗜好情報に基づいて設定されることを特徴とする，請求項９に記載の放送受信端末。
【請求項１１】
所定の閲覧イベントに応じて，前記とりおき情報に基づいて電子コンテンツ案内情報を獲得し，閲覧可能であることを特徴とする，請求項９に記載の放送受信端末。
【請求項１２】
電子コンテンツ案内情報提供装置から提供される電子コンテンツ案内情報を閲覧可能な閲覧端末であって：
所定の閲覧イベントに応じて，前記電子コンテンツ案内情報に誘導するとりおき情報を，所定のとりおき情報保存場所から獲得するとりおき情報獲得装置と；
獲得した前記とりおき情報に基づいて電子コンテンツ案内情報を前記電子コンテンツ案内情報提供装置から獲得し，獲得した前記電子コンテンツ案内情報を閲覧可能にする電子コンテンツ案内情報獲得装置と；
を備えたことを特徴とする，閲覧端末。
【請求項１３】
前記とりおき情報保存場所は，前記閲覧端末内に設置されることを特徴とする，請求項１２に記載の閲覧端末。
【請求項１４】
前記閲覧端末は，放送番組とその放送番組に関連する電子コンテンツ案内情報を受信可能な放送受信端末と同系の装置であることを特徴とする，請求項１２に記載の閲覧端末。
【請求項１５】
前記閲覧端末は，放送番組とその放送番組に関連する電子コンテツ案内情報を受信可能な放送受信端末と別系の装置であることを特徴とする，請求項１２に記載の閲覧端末。
【請求項１６】
前記閲覧イベントは，所定期間のみ活性化されることを特徴とする，請求項１２に記載の閲覧端末。
【請求項１７】
放送番組提供装置から提供される放送番組と電子コンテンツ案内情報提供装置から提供される電子コンテンツ案内情報とを受信可能な放送受信端末を操作する操作端末であって：
放送受信端末をして，所定のとりおきイベントに応じて，前記電子コンテンツ案内情報に誘導するとりおき情報を，前記電子コンテンツ案内情報から獲得させることを特徴とする，操作端末。
【請求項１８】
さらに，前記とりおき情報を保存するとりおき情報保存場所を備えていることを特徴とする，請求項１７に記載の操作端末。
【請求項１９】
電子コンテンツ案内情報提供装置から提供される電子コンテンツ案内情報を閲覧可能な閲覧端末を操作する操作端末であって：
所定の閲覧イベントに応じて，前記電子コンテンツ案内情報に誘導するとりおき情報を，所定のとりおき情報保存場所から獲得させ，さらに，獲得した前記とりおき情報に基づいて電子コンテンツ案内情報を前記電子コンテンツ案内情報提供装置から獲得させ，獲得した前記電子コンテンツ案内情報を閲覧可能にさせることを特徴とする，操作端末。
【請求項２０】
前記とりおき情報保存場所は，前記閲覧端末内に設置されることを特徴とする，請求項１９に記載の操作端末。
【請求項２１】
放送番組提供装置から提供される放送番組と電子コンテンツ案内情報提供装置から提供される電子コンテンツ案内情報とを受信可能な放送受信端末に組み込み可能なコンピュータプログラムであって：
所定のとりおきイベントに応じて，前記電子コンテンツ案内情報に誘導するとりおき情報を，前記電子コンテンツ案内情報から獲得するように，前記放送受信端末を動作させることを特徴とする，コンピュータプログラム。
【請求項２２】
電子コンテンツ案内情報提供装置から提供される電子コンテンツ案内情報を閲覧可能な閲覧端末に組み込み可能なコンピュータプログラムであって：
所定の閲覧イベントに応じて，前記電子コンテンツ案内情報に誘導するとりおき情報を，所定のとりおき情報保存場所から獲得し，獲得した前記とりおき情報に基づいて電子コンテンツ案内情報を前記電子コンテンツ案内情報提供装置から獲得し，獲得した電子コンテンツ案内情報を閲覧可能にするように，前記閲覧端末を動作させることを特徴とする，コンピュータプログラム。
【発明の詳細な説明】
【技術分野】
【０００１】
本発明は，放送番組提供システム，放送受信端末装置，閲覧端末およびコンピュータプログラムに関し，特に電子コンテンツ案内サービスの利便性を高めることが可能な放送番組提供システム，放送受信端末装置，閲覧端末およびコンピュータプログラムに関する。
【背景技術】
【０００２】
近年，放送局から放送される放送番組に対して，その番組を探索するための電子番組案内（ＥＰＧ（Ｅｌｅｃｔｒｉｃ  Ｐｒｏｇｒａｍ  Ｇｕｉｄｅ），以下，単にＥＰＧも称する。）サービスやさらに，放送番組に関連する電子コンテンツに関する情報の提供も含めた電子コンテンツ案内（ＥＣＧ（Ｅｌｅｃｔｒｉｃ  Ｃｏｎｔｅｎｔ  Ｇｕｉｄｅ），以下，単にＥＣＧと称する。）サービスが提案されている。
【０００３】
ここで，ＥＰＧサービスに関連して，配信される放送番組に関連するさまざまな付加情報を記述して，蓄積する技術が特許文献１に開示されている。また，放送番組の情報と通信ネットワーク上のコンテンツをシームレスにリンクさせる技術が特許文献２に開示されている。さらに，ＥＰＧサービスの操作性を向上させるためのリモートコントロールに関する技術が特許文献３に開示されている。
【０００４】
【特許文献１】特開平１０−１３８１１号公報
【特許文献２】国際公開０２／０１１４４８号公報
【特許文献３】特開２００３−３４８３７０号公報  なお，これらの特許文献は，本発明に関連する先行技術として例示列挙したものであり，これらの文献を単独であるいは組み合わせて引用しても，本発明の新規性あるいは進歩性を否定するものではないことを了解されたい。
【発明の開示】
【発明が解決しようとする課題】
【０００５】
ＥＣＧサービスは，ＥＰＧサービスの汎用性を高めたものであり，放送番組に関連する放送番組情報に加えて，インターネットなどの通信ネットワーク上に配信・蓄積されている放送番組関連するさまざまなコンテンツにユーザを誘導するための情報をＥＣＧ情報としてメタデータ化して，放送番組に付加して，ユーザに提供するサービスである。
【０００６】
ところで，従来のＥＣＧサービスにおいては，ＥＣＧ情報は放送番組の視聴と連動して閲覧が可能であった。そのため，ユーザがＥＣＧ情報を閲覧したい場合には，ユーザは放送番組の視聴を一時的に中断したり，画面を小さくしたりしてＥＣＧ情報を表示させて閲覧する必要があった（例えば，図３１（Ｂ）参照のこと。）。そのため，ユーザが，放送番組の視聴とＥＣＧ情報の閲覧とを両立させることは困難であり，その利便性は必ずしも高いものと言えなかった。また，比較的短時間に放送されるＣＭに対して，ＥＣＧ情報を付加しても，効果的な宣伝効果を得にくかった。
【０００７】
また，放送番組の視聴環境と離れてＥＣＧ情報を閲覧することは，非常に煩雑な作業であった。例えば，ユーザがＥＣＧ情報に関連するコンテンツを放送番組の視聴後に確認しようとする。その場合には，ユーザは，コンピュータ端末から放送局のサービスサイトにアクセスして，そこから所望のＥＣＧ情報にアクセスしたり，あるいは検索ポータルからキーワード等を入力して，ＥＣＧ情報を探索してアクセスしたりする必要があった。また，ユーザ同士でＥＣＧ情報を交換する作業についても，非常に煩雑な手順を要した。
【０００８】
本発明は，従来のＥＣＧサービスにおける上記問題点に鑑みてなされたものであり，放送番組の視聴時に，ＥＣＧ情報のとりおきを可能にすることにより，放送番組の視聴時間とＥＣＧ情報の閲覧時間とをずらすことが可能であり，また放送番組の視聴環境に依存しないでＥＣＧ情報の閲覧ができる，新規かつ改良された放送番組提供システム，放送受信端末装置，閲覧端末およびコンピュータプログラムを提供することを目的としている。
【課題を解決するための手段】
【０００９】
上記課題を解決するために本発明の第１の観点よれば，放送番組を提供する放送番組提供装置と，放送番組に関連するＥＣＧ情報を提供するＥＣＧ情報提供装置と，放送番組とＥＣＧ情報とを受信可能な放送受信端末とを含む放送番組提供システムが提供される。かかる放送番組提供システムを構成する放送受信端末は，所定のとりおきイベントに応じて，ＥＣＧ情報に誘導するとりおき情報を，ＥＣＧ情報から獲得するとりおき情報獲得装置を備えていることを特徴とする。さらに，放送番組提供システムは，とりおき情報を保存するとりおき情報保存場所と，所定の閲覧イベントに応じて，とりおき情報保存場所に保存されたとりおき情報に基づいてＥＣＧ情報を獲得し，閲覧可能にする閲覧端末とを備えていることを特徴とする。
【００１０】
かかる構成によれば，放送受信端末，例えばテレビやＳＴＢ（Ｓｅｔ  ｔｏｐ  Ｂｏｘ）やＰＣ（Ｐｅｒｓｏｎａｌ  Ｃｏｍｐｕｔｅｒ）は，とりおき情報獲得装置により，所定のとりおきイベントに応じて，ＥＣＧ情報に誘導するとりおき情報をＥＣＧ情報から獲得する。獲得されたとりおき情報は，所定のとりおき情報保存場所に保存される。そのため，ユーザは，放送番組の視聴時間や視聴環境に依存せずに，閲覧端末を用いて，所定の閲覧イベントに応じて，とりおき情報保存場所に保存されたとりおき情報に基づいてＥＣＧ情報を獲得し，その内容を閲覧することが可能である。
【００１１】
ここで，とりおき情報は，閲覧端末をＥＣＧ情報に誘導するメタ情報であり，さまざまな形態を取りうるが，例えば，ＥＣＧ情報のすべてをとりおき情報としてもよいし，ＥＣＧ参照ＩＤとして構成してもよいし，ＥＣＧ参照ＩＤを検索するための情報であってよい。
【００１２】
また，とりおきイベントは，放送受信端末を操作する操作端末，例えばリモートコントローラなどから，放送番組の視聴中に入力されるオンタイムイベントであってもよいし，放送受信端末を操作する操作端末から，事前設定される事前設定イベントであってもよい。またユーザの嗜好情報を収集し，事前設定イベントをユーザの嗜好情報に基づいて自動的に発火するように構成してもよい。
【００１３】
とりおき情報を保存するとりおき情報保存場所は，放送番組提供システムの構成に応じて，さまざまな構成を採用することが可能である。例えば，とりおき情報保存場所を，放送受信端末内に設置してもよいし，閲覧端末内に設置してもよいし，ネットワーク等を介してアクセス可能な他の端末内に設置してもよい。さらに，とりおき情報保存場所は，ネットワークを介してアクセス可能なＥＣＧ情報提供装置内に設置してもよいし，あるいはとりおきサービスを提供するとりおきサーバ内に設置してもよい。なお，とりおきサーバは，とりおきサービスの専用のサーバである必要はなく，例えばユーザ情報管理サーバなどの他のサーバと兼用サーバとして構成してもよい。さらには，放送受信端末を操作するリモコンなどの操作端末内に設置してもよいし，外部記録メディア内に設置してもよい。さらに，別の形態として，とりおき情報保存場所を，所定のアドレスに向けて発信されるメール，あるいは，そのメールを受信して保存する他の端末とすることも可能である。
【００１４】
また，とりおき情報に基づいてＥＣＧ情報にアクセスして，ＥＣＧ情報を閲覧する閲覧端末は，ＥＣＧ情報をそのままあるいは加工して閲覧可能な閲覧機能を備えていればよく，放送受信端末であってもよいし，携帯可能な閲覧端末，例えばＰＤＡ（Ｐｅｒｓｏｎａｌ  Ｄｉｇｉｔａｌ  Ａｓｓｉｓｔａｎｔ）や携帯電話などの閲覧端末であってもよい。
【００１５】
閲覧端末からＥＣＧ情報にアクセス可能な閲覧イベントは，所定期間のみ活性化され，所定期間経過後に，閲覧不能に構成してもよいし，期間を設けず恒常的に閲覧可能に構成してもよい。所定期間は，例えば，制作発表後から，あるいは放送番組の放映後からというように始期を限定するものでもよいし，放送番組の放映前まで，あるいは放送番組の放映後所定期間内まで，というように終期を限定するものでもよいし，もちろん，始期と終期を限定するものでもよい。閲覧イベントの活性化または不能化の方法としては，とりおき情報自体にメタ情報として予めもたせておくことも可能であるし，ＥＣＧ情報提供装置側において制御管理する構成を採用することも可能である。
【００１６】
上記課題を解決するために，本発明の別の観点によれば，放送番組提供装置から提供される放送番組と，ＥＣＧ情報提供装置から提供されるＥＣＧ情報とを受信可能な放送受信端末が提供される。この放送受信端末は，所定のとりおきイベントに応じて，ＥＣＧ情報に誘導するとりおき情報を，ＥＣＧ情報から獲得するとりおき情報獲得装置を備えたことを特徴としている。
【００１７】
かかる構成によれば，とりおき情報獲得装置により，所定のとりおきイベントに応じて，ＥＣＧ情報に誘導するとりおき情報を，ＥＣＧ情報から獲得することができる。そのため，放送番組の視聴時間や視聴環境と無関係に，とりおき情報に基づいてＥＣＧ情報を利用することが可能となる。
【００１８】
とりおきイベントは，放送受信端末を操作する操作端末から，放送番組の視聴中に入力されるオンタイムイベントであってもよいし，放送受信端末を操作する操作端末から，事前設定される事前設定イベントであってもよい。またユーザの嗜好情報を収集し，事前設定イベントをユーザの嗜好情報に基づいて自動的に発火するように構成してもよい。なお，とりおき情報を保存するとりおき情報保存場所は放送受信端末内に設けることができる。
【００１９】
また，とりおき情報はさまざまに利用可能であるが，放送受信端末により，所定の閲覧イベントに応じて，とりおき情報に基づいてＥＣＧ情報を獲得し，閲覧するように構成してもよい。
【００２０】
上記課題を解決するために，本発明のさらに別の観点によれば，ＥＣＧ情報提供装置から提供されるＥＣＧ情報を閲覧可能な閲覧端末が提供される。かかる閲覧端末は，所定の閲覧イベントに応じて，ＥＣＧ情報に誘導するとりおき情報を，所定のとりおき情報保存場所から獲得するとりおき情報獲得装置と，獲得したとりおき情報に基づいてＥＣＧ情報をＥＣＧ情報提供装置から獲得し，獲得したＥＣＧ情報を閲覧可能にするＥＣＧ情報獲得装置とを備えたことを特徴としている。
【００２１】
かかる構成によれば，放送番組の視聴時間や視聴環境と無関係に，とりおき情報獲得装置により，所定の閲覧イベントに応じて，ＥＣＧ情報に誘導するとりおき情報を，所定のとりおき情報保存場所から獲得し，ＥＣＧ情報獲得装置により，獲得したとりおき情報に基づいてＥＣＧ情報をＥＣＧ情報提供装置から獲得し，獲得したＥＣＧ情報を閲覧することが可能となる。
【００２２】
ここで閲覧イベントは，閲覧端末からＥＣＧ情報を閲覧するイベントであり，閲覧ソフトウェアの起動とともに閲覧イベントが発生するように構成してもよいし，閲覧ソフトウェアのメニュー実行時に閲覧イベントが発生するように構成してもよい。
【００２３】
なお，閲覧端末は，放送受信端末であってもよいし，携帯可能な閲覧端末であってもよい。また，とりおき情報保存場所は，閲覧端末内に設置してもよい。
【００２４】
閲覧端末からＥＣＧ情報にアクセス可能な閲覧イベントは，所定期間のみ活性化され，所定期間経過後に，閲覧不能に構成してもよいし，期間を設けず恒常的に閲覧可能に構成してもよい。
【００２５】
さらに，上記課題を解決するために本発明の別の観点によれば，放送番組提供装置から提供される放送番組と電子コンテンツ案内情報提供装置から提供される電子コンテンツ案内情報とを受信可能な放送受信端末を操作する操作端末であって，放送受信端末をして，所定のとりおきイベントに応じて，電子コンテンツ案内情報に誘導するとりおき情報を，電子コンテンツ案内情報から獲得させることを特徴とする，操作端末が提供される。操作端末は，
操作端末は，さらに，とりおき情報を保存するとりおき情報保存場所を備えていてもよい。操作端末は，専用のリモコンに限定されず，放送受信端末を操作できるのであれば，形態電話やＰＤＡなどの端末も含まれる。
【００２６】
さらに，上記課題を解決するために本発明の別の観点によれば，電子コンテンツ案内情報提供装置から提供される電子コンテンツ案内情報を閲覧可能な閲覧端末を操作する操作端末であって，所定の閲覧イベントに応じて，電子コンテンツ案内情報に誘導するとりおき情報を，所定のとりおき情報保存場所から獲得させ，さらに，獲得したとりおき情報に基づいて電子コンテンツ案内情報を前記電子コンテンツ案内情報提供装置から獲得させ，獲得した電子コンテンツ案内情報を閲覧可能させることを特徴とする，操作端末が提供される。
【００２７】
とりおき情報保存場所は，閲覧端末内に設置するように構成してもよい。操作端末は，専用のリモコンに限定されず，閲覧端末を操作できるのであれば，形態電話やＰＤＡなどの端末も含まれる。
【００２８】
さらに，上記課題を解決するために，本発明の別の観点によれば，放送番組提供装置から提供される放送番組と，ＥＣＧ情報提供装置から提供されるＥＣＧ情報とを受信可能な放送受信端末に組み込み可能なコンピュータプログラムであって，所定のとりおきイベントに応じて，ＥＣＧ情報に誘導するとりおき情報を，ＥＣＧ情報から獲得するように，放送受信端末を動作させることを特徴とする，コンピュータプログラムが提供される。
【００２９】
さらにまた，上記課題を解決するために，本発明の別の観点によれば，ＥＣＧ情報提供装置から提供されるＥＣＧ情報を閲覧可能な閲覧端末に組み込み可能なコンピュータプログラムであって，所定の閲覧イベントに応じて，ＥＣＧ情報に誘導するとりおき情報を，所定のとりおき情報保存場所から獲得し，獲得したとりおき情報に基づいてＥＣＧ情報をＥＣＧ情報提供装置から獲得し，獲得したＥＣＧ情報を閲覧可能にするように，閲覧端末を動作させることを特徴とする，コンピュータプログラムが提供される。
【発明の効果】
【００３０】
以上説明したように，本発明によれば，ユーザは，ＥＣＧ情報に誘導するとりおき情報を，放送番組の視聴時にとりおくことができる。そのため，ユーザは，放送番組の視聴時間とＥＣＧ情報の閲覧時間をずらして，視聴／閲覧を行うことが可能である。さらに，ユーザは，閲覧端末により，とりおいておいたとりおき情報に基づいてＥＣＧ情報にアクセス可能なので，放送番組の視聴環境によらずＥＣＧ情報の閲覧ができる。
【発明を実施するための最良の形態】
【００３１】
以下，本発明の好適な実施形態について，添付図面を参照しながら詳細に説明する。なお，以下の説明および添付図面において，略同一の機能および構成を有する構成要素については，同一の符号を付することにより，重複説明を省略することにする。
（１．ＥＣＧサービスを利用可能な放送番組提供システム）
（１−１  放送番組提供システムの概略構成）
まず，図１を参照しながら，本実施の形態にかかる放送番組提供システム１００について説明する。図１は，本実施の形態にかかる放送番組提供システムの概略的な構成を示すブロック図である。
【００３２】
図１に示すように，本実施の形態にかかる放送番組提供システム１００は，主にサービスを利用する利用者（ユーザ）側２００と，サービスを提供するサービス提供側３００とに区分される。サービス提供側３００から利用者側２００へは，放送系４１０，ＣＡＴＶ（Ｃａｂｌｅ  Ｔｅｌｅｉｓｉｏｎ）系，通信系４３０などを通じて，放送番組（映像・音声サービス）やＥＣＧ情報（ＥＣＧサービス）が発信される。
【００３３】
なお，放送系４１０は，放送端末（例えばテレビ向け，携帯端末向け，移動体端末向け）に応じてさまざまな方式を採用可能である。より具体的には，放送系４１０の媒体として，地上波アナログ放送，地上波デジタル放送，ＢＳ（Ｂｒｏａｄｃａｓｔｉｎｇ  Ｓａｔｅｌｌｉｔｅ）アナログ放送，ＢＳデジタル放送，１２４・１２８度ＣＳ（Ｃｏｍｍｕｎｉｃａｔｉｏｎ  Ｓａｔｅｌｌｉｔｅ）放送，１１０度ＣＳ放送などを例示することができる。
【００３４】
また，ＣＡＴＶ系４２０の媒体としては，ＣＡＴＶデジタル放送，ＣＡＴＶアナログ放送などを例示することができる。また，通信系４３０の媒体としては，光ファイバ，ＡＤＳＬ（Ａｓｙｍｍｅｔｒｉｃ  Ｄｉｇｉｔａｌ  Ｓｕｂｓｃｒｉｂｅｒ  Ｌｉｎｅ），電話モデム，携帯電話映像サービス等によるブロードバンドインターネットを例示することができる。
【００３５】
利用者（ユーザ）側２００には，サービス提供者側３００から提供される放送番組やＥＣＧ情報を受信可能な放送受信端末２１０と，ＥＣＧ情報を閲覧可能な閲覧端末２５０が含まれる。なお，これらの放送受信端末２１０や閲覧端末２５０は，テレビやＰＣなどのように家庭内等で利用する固定式のものとして構成することも可能であるし，携帯電話やＰＤＡなどのように外で利用可能な携帯式のものとして構成することも可能である。
【００３６】
放送受信端末２１０は，サービス提供者側３００から提供される放送番組やＥＣＧ情報を受信可能な装置であり，テレビジョンのような放送端末，ＣＡＴＶ，ＰＶＲ（Ｐｅｒｓｏｎａｌ  Ｖｉｄｅｏ  Ｒｅｃｏｒｄｅｒ），ＦＴＴＨ（Ｆｉｂｅｒ  Ｔｏ  Ｔｈｅ  Ｈｏｍｅ），ＰＣ，携帯電話などを例示することができる。
【００３７】
閲覧端末２２０は，少なくともＥＣＧ情報をそのままあるいは形式を変更して閲覧可能な装置であり，上記放送受信端末２１０と同系の装置構成とすることも可能であるし，あるいは，上記放送受信端末２１０とは別系の装置構成として，例えば携帯電話，ＰＣ，ＰＤＡなどとして構成することも可能である。
【００３８】
放送番組やＥＣＧ情報を提供するサービス提供者３００は，例えば，放送局３１０，委託放送事業者３２０，受託放送事業者３３０，コンテンツプロバイダ３４０，ＥＣＧサービス会社３５０などの機能を有する装置類から構成される。なお，サービス提供者３００を構成する装置類は，コンピュータ，各種メディア記録装置，編集装置，送受信装置，画像表示装置などの装置類から構成することができる。
【００３９】
放送局３１０は，放送番組の制作・放映やＥＰＧサービスやＥＣＧサービスの制作・提供を行う装置類であり，放送番組（映像・音声サービス）やＥＰＧ情報（番組情報）やＥＣＧ情報（ひも付け情報）を制作し，放送系４１０，ＣＡＴＶ系４２０，通信系４３０を介して，利用者側２００に発信する。放送局３１０は自局で放送番組を制作し，編成し，その番組を紹介するためのＥＣＧなどの番組情報を制作し，提供することができる。
【００４０】
放送局３１０は，放送番組等の作成を委託する委託放送事業者３２０と放送番組等を作成して委託放送事業者に受け渡す受託放送事業者３３０などの装置類から構成してもよい。この場合，委託放送事業者３２０は，放送番組の制作やＥＰＧ・ＥＣＧサービスのメタ制作を行い，受託放送事業者３３０が，放送系を介してユーザに放送番組やＥＰＧやＥＣＧサービスの提供を行うように役割分担させて構成することができる。
【００４１】
さらに，サービス提供者３００に，放送番組などのコンテンツ情報を制作するコンテンツプロバイダ３４０やＥＣＧ情報を作成するＥＣＧサービス会社３５０などの装置類を含めてもよい。コンテンツプロバイダ３４０は，ＥＣＧサービスのために必要なコンテンツ情報などのメタ制作を行うことができる。ＥＣＧサービス会社３５０は，ＥＣＧサービスに必要な番組にコンテンツ情報のひも付けを行うことができる。さらに，ＥＰＧサービスやＥＣＧサービスなどをメールにてユーザに発信するメール発信サーバ（不図示）を含めるように構成することができる。
（１−２．ＥＣＧサービス）
次に，上記放送番組提供システムを利用したＥＣＧサービスの概念について簡単に説明する。ＥＣＧサービスは，ＥＰＧサービスの汎用性を高めたものであり，放送番組に関連する放送番組情報に加えて，インターネットなどの通信ネットワーク上に配信・蓄積されている放送番組に関連するさまざまなコンテンツにユーザを誘導するための情報をＥＣＧ情報としてメタデータ化して，放送番組に付加して，ユーザに提供するサービスである。
【００４２】
ところで，従来のＥＣＧサービスにおいては，ＥＣＧ情報は放送番組の視聴と連動して閲覧が可能であったので，ＥＣＧ情報を閲覧したい場合には，ユーザは放送番組の視聴を一時的に中断したり，画面を小さくしたりしてＥＣＧ情報を表示させて閲覧する必要があった。そのため，ユーザは，放送番組の視聴とＥＣＧ情報の閲覧とを両立させねばならず，その利便性は必ずしも高いものと言えなかった。また，比較的短時間に放送されるＣＭに対して，ＥＣＧ情報を付加しても，宣伝効果を得にくかった。
【００４３】
また，放送番組の視聴環境と離れてＥＣＧ情報を閲覧することは，非常に煩雑な作業であった。例えば，ＥＣＧ情報に関連するコンテンツを放送番組の視聴後に確認しようとすると，コンピュータ端末から放送局のサービスサイトにアクセスしてＥＣＧ情報にアクセスしたり，あるいは検索ポータルからキーワード等を入力してアクセスしたりする必要があった。また，ユーザ同士でＥＣＧ情報を交換する作業についても，非常に煩雑な手順を要した。
【００４４】
本実施の形態にかかる放送番組提供システムにおいては，とりおき情報という概念を導入することにより，上記問題点を解決する。とりおき情報は，閲覧端末をＥＣＧ情報に誘導する情報であり，ＥＣＧ情報自体であってもよいし，ＥＣＧ参照ＩＤとして構成してもよいし，ＥＣＧ参照ＩＤを検索するための情報であってよい。
【００４５】
このように，とりおき情報とＥＣＧ情報とを別々に管理することにより，とりおき情報をＥＣＧ情報から切り離して，個別に利用することが可能となる。その結果，従来のように，放送番組の視聴中にオンタイムでＥＣＧ情報にアクセスせずとも，所定のとりおき情報保存場所に保存されたとりおき情報に基づいてＥＣＧ情報にアクセスことが可能となるので，ユーザは，視聴時間や視聴環境にとらわれずに，自由な時間，自由な環境において，ＥＣＧ情報にアクセスすることが可能となる。
（２．ＥＣＧ情報のとりおき／閲覧サービス）
（２−１  ＥＣＧ情報のとりおきサービス）
次に図２を参照しながら，図１に示す放送番組提供システムを利用したＥＣＧ情報のとりおき（保存）サービスの概略について説明する。図２は，本実施の形態にかかる放送番組提供システムを利用したＥＣＧ情報のとりおきサービスの概略を示すブロック図である。
【００４６】
図示のように，本実施の形態にかかるＥＣＧ情報のとりおきサービスを利用可能なシステムは，放送サービス提供者３００と，放送受信端末２００と，閲覧端末２５０と，とりおき情報保存場所であるとりおき情報ＤＢ（データベース）４５０（４５０Ａ，４５０Ｂ，４５０Ｃ，４５０Ｄ）から構成される。
【００４７】
なお，とりおき情報を保存するとりおき情報保存場所は，システム構成に応じて，さまざまに設定することが可能である。例えば，図２に示す例では，放送受信端末内にとりおき情報ＤＢ４５０Ａとして設置され，閲覧端末２５０内にとりおき情報ＤＢ４５０Ｂとして設置されている。あるいは，とりおき蓄積ネットワークサービスを利用する場合には，とりおきサービス提供者３６０内に設置されるとりおき情報ＤＢ４５０Ｃとして構成することも可能であり，図３に示すようにＥＣＧサービス提供者３５０内に設置されるとりおき情報ＤＢ４５０Ｄとして構成することも可能である。ＥＣＧサービス提供者３５０がとりおき情報も管理する場合には，例えば，とりおき情報ＤＢ４５０Ｄを用いて，とりおき情報でＥＣＧ情報の実体も管理するように構成してもよい。
【００４８】
さらに，とりおき情報ＤＢ４５０は，図示は省略するが，放送受信端末２１０や閲覧端末２５０を遠隔操作可能な操作端末内に設けることも可能であり，各機器に挿脱自在であり携帯性に優れた各種外部記憶メディア内に設けることも可能である。あるいは，所定のアドレスに向けて発信されるメールに組み込むことにより，後発的に，閲覧端末２５０により閲覧可能に構成することも可能である。
【００４９】
ＥＣＧ情報のとりおきサービスを受けるために，放送受信端末２１０は，少なくとも，所定のとりおきイベントに応じて，とりおき情報をＥＣＧ情報から獲得することが可能な，とりおき情報獲得装置２１４を備える。さらに，図示の放送受信端末２１０は，サービスを利用するためのユーザ認証を行うユーザ認証装置２１２と，とりおき情報保存場所としてとりおき情報ＤＢ４５０Ａを備えている。なお，とりおき情報ＤＢは，システムのいずれかの場所に設けられていればよいので，必ずしも放送受信端末２１０内に設ける必要はない。
【００５０】
また，ＥＣＧ情報のとりおきサービスを受けるために，閲覧端末２５０は，図３に関連して後述するように，所定の閲覧イベントに応じて，とりおき情報保存場所に保存されたとりおき情報に基づいてＥＣＧ情報を獲得し，ユーザがＥＣＧ情報を閲覧できるようにする。そのために，閲覧端末２５０は，所定の閲覧イベントに応じて，とりおき情報を，所定のとりおき情報保存場所から獲得するとりおき情報獲得装置２５２と，獲得したとりおき情報に基づいてＥＣＧ情報をＥＣＧサービス提供者（ＥＣＧ情報提供装置）から獲得し，獲得したＥＣＧ情報をユーザが閲覧できるようにするＥＣＧ情報獲得装置２５４を備えている。なお，図示の閲覧端末２５０は，とりおき情報保存場所としてのとりおき情報ＤＢを備えているが，とりおき情報ＤＢは，システムのいずれかの場所に設けられていればよいので，必ずしも閲覧端末２５０内に設ける必要はない。
【００５１】
次に，上記システムによりＥＣＧ情報とりおきサービスを利用する手順について説明する。
【００５２】
まず放送受信端末２１０のユーザ認証装置２１２において，ＥＣＧ情報とりおきサービスを利用するためのユーザ登録を行う。なお，ユーザ登録はＥＣＧ情報とりおきサービスを利用するための必須の構成ではなく，省略可能である。
【００５３】
次いで，ユーザは，所定のとりおきイベントが発生すると，とりおき情報獲得装置２１４により，とりおき情報の保存要求を行う。なお，とりおきイベントは，ＥＣＧ情報からとりおき情報を獲得するトランザクションを発火させるイベントである。とりおきイベントは，ユーザが放送番組視聴中に，気に入ったＥＣＧ情報をとりおく，オンタイムイベントして構成することができる。あるいは，とりおきイベントは，ユーザが，嗜好情報などに基づいて，事前設定しておき，事前設定した条件が発生した場合に起動する事前設定イベントとして構成することもできる。
【００５４】
ユーザをＥＣＧ情報に誘導するとりおき情報には，放送番組を特定するための放送番組特定情報，放送番組設定されているＥＣＧ情報に対してひも付けされている番組やコンテンツを特定するためのＥＣＧ情報特定情報，放送番組内を番組開始時間から相対時間で細分化してセグメント単位に管理した際に一つのセグメントを特定するための放送番組内セグメント特定情報，ＥＣＧサービスを利用するユーザを特定するためのユーザ特定情報，ＥＣＧサービス提供者を特定するためのＥＣＧ提供者特定情報，ＥＣＧ情報を閲覧する閲覧端末を特定するための閲覧端末特定情報などの情報を含ませることが可能である。とりおき情報は，閲覧端末をＥＣＧ情報に誘導する情報であればよいので，上に列挙した情報に限定されず，システムの構成に応じて，さまざまな情報として構成することが可能である。
【００５５】
いずれにせよ，とりおきイベントが発生すると，とりおき情報獲得装置２１４は，ＥＣＧ情報からメタ情報としてのとりおき情報を獲得する。次いで，とりおき情報獲得装置２１４は，獲得されたとりおき情報の保存要求を行い，所定のとりおき情報保存場所４５０に獲得したとりおき情報を保存する。保存が完了した後に，よりおき情報獲得装置２１４は，とりおき情報保存場所４５０からとりおき情報保存確認通知を受けて，ＥＣＧとりおき作業が完了する。なお，ＥＣＧとりおき作業の詳細なフローについては，後述する。
（２−２．ＥＣＧ情報のとりおき情報閲覧サービス）
次に図３を参照しながら，図１に示す放送番組提供システムを利用したＥＣＧ情報のとりおき情報閲覧サービスの概略について説明する。図３は，本実施の形態にかかる放送番組提供システムを利用したＥＣＧ情報のとりおき情報閲覧の概略を示すブロック図である。
【００５６】
図示のように，ＥＣＧ情報のとりおき閲覧サービスを利用するためのシステムは，閲覧端末２５０と，とりおき情報保存場所４５０とから構成される。閲覧端末２５０は，とりおき情報獲得装置２５２と，ＥＣＧ情報獲得装置２５４と，必要に応じてユーザ登録装置２５６と，とりおき情報ＤＢ４５０Ｂを備える。閲覧端末２５０を構成する各装置については，図１または図２に関連してすでに説明したので，詳細な説明は省略する。
【００５７】
また，とりおき情報保存場所４５０についても，すでに説明したように，システム構成に応じてさまざまに設定可能である。図示の例では，とりおき情報保存場所４５０は，閲覧端末２５０，ＥＣＧサービス提供者３５０，とりおきサービス提供者３６０に設けられているが，これらのいずれか一つに設置されていればよく，この他にも，閲覧装置２５０を操作する操作端末や携帯可能な外部記憶メディアに設けてもよい。
【００５８】
次に，上記システムにより，とりおき情報閲覧サービスを受けるための作業について説明する。本実施の形態においては，まず，ＥＣＧ情報閲覧サービスを利用するために，予めユーザ登録を行い，ユーザ特定情報を確定しておく。次いで所定の閲覧イベントが発生すると，とりおき情報獲得装置２５２は，とりおき情報獲得要求を所定のとりおき情報保存場所４５０に向かって発する。発せられたとりおき情報獲得要求が正規のものである場合には，とりおき情報保存場所４５０からとりおき情報内容通知が行われる。次いで，ＥＣＧ情報獲得装置２５４は，獲得されたとりおき情報に誘導されてＥＣＧ情報にアクセスし，ＥＣＧ情報を獲得する。さらに，ＥＣＧ情報獲得装置２５４は，獲得したＥＣＧ情報をユーザが閲覧可能なように加工して，表示する。なお，とりおき情報は，閲覧端末を，対応するＥＣＧ情報に誘導するものであるが，閲覧端末の操作者には，とりおき情報自体を意識させる必要は無く，とりおき情報とＥＣＧ情報とをシームレスにリンクさせてもよい。
（３．放送番組提供システムの機器構成）
次に，図４〜図８を参照しながら，本実施の形態にかかる放送番組提供システム１００の機器構成の具体例について説明する。なお，図４は，本実施の形態にかかる放送番組提供システムを構成する放送受信端末２１０と閲覧端末２５０の機器の操作イメージと操作時間の遷移を示す説明図である。図５は，本実施の形態にかかる放送番組提供システムを構成する放送受信端末２１０と閲覧端末２５０の機器の組み合わせパターンを示す説明図である。図６は，本実施の形態にかかる放送番組提供システムの放送系，ＣＡＴＶ系および通信系の送出・配信機器構成を示す説明図である。図７は，本実施の形態にかかる放送番組提供システムを構成する放送受信端末２１０と閲覧端末２５０の構成の一例を示す構成図である。さらに図８には，本実施の形態にかかる放送番組提供システムを構成するとりおきサービス提供者３６０の概略構成が示されている。
【００５９】
まず，図４を参照しながら，本実施の形態にかかる放送番組提供システムによるとりおき指示・保存およびとりおき閲覧の操作イメージについて説明する。図４に示すように，テレビにおいて放送受信端末２１０における，とりおき指示・保存の操作は，例えば，赤外線等により放送受信端末２１０を遠隔操作可能なリモコン２２０を用いて行うことができる。リモコン２２０には，通常のＥＣＧメニューに加えて，「とりおき保存」ボタンおよび「とりおき閲覧」ボタンが配置される。
【００６０】
ユーザは，事前にあるいは放送番組の視聴中にＥＣＧ情報のとりおきを行うことができる。事前にとりおきたいＥＣＧ情報が判明している場合には，リモコン２２０を操作して，放送端末２１０においてＥＣＧとりおきの事前準備を行う。放送受信端末２１０では，設定されたとりおきイベントが発生すると，ＥＣＧ情報からとりおき情報を獲得し，所定のとりおき情報保存場所に保存する。あるいは，ユーザの嗜好情報を予め収集し，放送受信端末２１０側で自動的にとりおきイベントを事前設定し，設定されたとりおきイベントが発生すると，ＥＣＧ情報からとりおき情報を獲得し，所定のとりおき情報保存場所に保存するように構成してもよい。あるいは，ユーザが放送番組の視聴中に，とりおいておきたいＥＣＧ情報に遭遇した場合に，自主的にリモコン２２０の「とりおき保存」ボタンを押下し，このとりおき保存要求に基づいて，ＥＣＧ情報からとりおき情報を獲得し，所定のとりおき情報保存場所に保存するように構成してもよい。
【００６１】
なお，放送受信端末２１０の操作は，必ずしも専用のリモコン２２０で行う必要はなく，放送受信端末２１０自体を操作してもよいし，例えば携帯電話２２２の送信機能を用いて，操作するように構成してもよい。
【００６２】
放送番組のオンエア後に放送受信端末２１０によりＥＣＧ情報を確認したい場合には，リモコン２２０の「とりおき閲覧」ボタンを押下することにより，とりおき情報からＥＣＧ情報に誘導されて，ＥＣＧ情報が獲得され，放送受信端末２１０に表示される。図示の例では，放送受信端末２１０を閲覧端末２５０として機能させたものである。閲覧端末２５０は，テレビのような放送受信端末２１０に限定されず，図示のように，インターネット接続されたＰＣとして構成したり，あるいはＰＤＡや携帯電話のようなＥＣＧ情報にアクセス可能な携帯端末２６０として構成することも可能である。
【００６３】
次に，図５を参照しながら，本実施の形態にかかる放送番組提供システムを構成する放送受信端末２１０と閲覧端末２５０の機器の組み合わせパターンについて説明する。
【００６４】
放送受信端末２１０は，放送系４１０，ＣＡＴＶ系４２０，通信系４３０を介して，放送番組やＥＣＧ情報を受信する。なお，放送系４１０，ＣＡＴＶ系４２０，通信系４３０については，図１に関連してすでに説明したので重複説明は省略する。
【００６５】
放送受信端末２１０は，さまざまな機器の組み合わせで構成することができる。例えば，図５に示すように，放送受信端末２１０は，テレビ端末，携帯端末，移動体端末のような放送端末とリモコン，ＳＴＢとリモコン，ＣＡＴＶ端末とリモコン，ＦＴＴＨ端末とリモコン，ＰＶＲとリモコン，ＰＣとキーボードやマウス，単独で操作可能な携帯電話やＰＤＡとして構成することができる。
【００６６】
閲覧端末２５０は，通信系４３０を介してインターネットに接続され，ＥＣＧ情報にアクセスする。かかる閲覧端末２５０も同様に，さまざまな機器の組み合わせで構成することができる。閲覧端末２５０は，放送受信端末２１０と同系の機器として構成することも可能であるが，よりインターネットに接続しやすい環境として，あるいは外部からアクセスしやすい環境として，例えば，図５に示すように，携帯電話，ＰＤＡ，ＰＣとキーボードやマウスとの組み合わせのように別系の機器として構成することができる。
【００６７】
放送受信端末２１０と閲覧端末２５０におけるとりおき情報のやりとりは，例えば，ＵＰｎＰ（Ｕｎｉｖｅｒｓａｌ  Ｐｌｕｇ  ａｎｄ  Ｐｌａｙ），ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４，ネットワーク，赤外線などのデータ交換系４４０を用いることも可能であるし，メモリスティックやメモリカードのような外部記憶メディアを介して行うことも可能である。
【００６８】
図６には，本実施の形態にかかる放送番組提供システムの放送系，ＣＡＴＶ系および通信系の送出・配信機器構成が示されている。
【００６９】
アナログ・デジタル・ＣＡＴＶ放送を送出するシステム６１０は，図６（Ａ）に示すように，放送番組やＥＰＧ情報を編成システム６１２と，映像・音声ストリームを生成し送出する映像・音声ストリーム生成・送出システム６１４と，データ放送を制作し送出するデータ放送制作・送出システム６１６と，ＥＰＧ情報を生成し送出するＥＰＧ生成・送出システム６１８とから構成される。
【００７０】
同様に，ＡＤＳＬ・ＣＡＴＶ・ＦＴＴＨ通信を配信するシステム６２０は，図６（Ｂ）に示すように，放送番組やＥＰＧ情報を生成し編集する編成システム６２２と，映像・音声ストリームを生成し送出する映像・音声ストリーム生成・送出システム６２４と，データ放送を制作し送出するデータ放送制作・送出システム６２６と，ＥＰＧ情報を生成し送出するＥＰＧ生成・送出システム６２８とから主に構成される。
【００７１】
図７は，本実施の形態にかかる放送番組提供システムを構成する放送受信端末２１０と閲覧端末２５０の構成の一例を示す構成図である。
【００７２】
放送受信端末２１０は，すでに説明したように，とりおき情報獲得装置を備えていれば十分であるが，具体的には，放送受信部２１０Ａ，表示・再生部２１０Ｂ，放送処理部２１０Ｃ，ＥＣＧとりおき処理部２１０Ｄ，ＥＣＧとりおき格納部２１０Ｅ，ＥＣＧサービスソフトウェア部２１０Ｆ，通信制御部２１０Ｇ，その他機能部２１０Ｈから主に構成されている。さらに，放送受信端末２１０は，外部機器として，操作装置・リモコン装置２２０と，周辺装置２３０を備えている。したがって，実機においては，これらの装置類のすべてあるいは一部を組み合わせて，とりおき情報獲得装置を構成することが可能である。
【００７３】
放送受信部２１０Ａは，映像・音声ストリーム，ＥＰＧのＳＩ情報，データ放送などを受信する機能部である。
【００７４】
表示・再生部２１０Ｂは，映像，ＥＰＧアプリケーション，ＥＣＧアプリケーションを表示したり，再生したりする機能部である。
【００７５】
放送処理部２１０Ｃは，「映像・音声ストリーム受信・再生機能部」，「データ放送受信・再生機能部」，「ＥＰＧ受信・制御機能部」などから構成され，映像ストリームの受信・再生，データ放送の受信・再生，ＥＰＧの受信・制御，ＥＣＧ参照ＩＤ（とりおき情報）の取得および蓄積を行う機能部である。
【００７６】
ＥＣＧとりおき処理部２１０Ｄは，「ＥＣＧ参照ＩＤ取得・蓄積機能部」，「ＥＣＧ参照ＩＤ取得・転送機能部」，「ＥＣＧとりおきイベント取得・自動イベント発生機能部」などから構成され，ＥＣＧ参照ＩＤの取得および蓄積，ＥＣＧ参照ＩＤの他の機器への転送，ＥＣＧとりおきイベントの取得や自動イベント発生処理を行う機能部である。
【００７７】
ＥＣＧとりおき格納部２１０Ｅは，ＥＣＧ情報をとりおき格納する機能部である。
【００７８】
ＥＣＧサービスソフトウェア部２１０Ｆは，「ＥＣＧ取得指示部」，「ＥＣＧとりおき閲覧機能」，「ＥＣＧとりおき送受信機能部」，「ＥＣＧメタ制御機能部」などから構成され，ＥＣＧサービスのデータ処理ならびに操作するためのＧＵＩを実現するためのソフトウェア機能部である。ＥＣＧ取得指示部は，番組のＥＣＧサービスを取得する際に，番組に対する嗜好やコンテンツの種別などを事前に登録し，その情報をもとにＥＣＧサービスを蓄積する機能部である。ＥＣＧとりおき閲覧機能は，すでにとりおきしたＥＣＧ情報を閲覧する機能部である。ＥＣＧとりおき送受信機能部は，蓄積したＥＣＧ参照ＩＤを通信制御部で閲覧端末に送信したり，他の機器から受信したりする機能部である。ＥＣＧメタ制御機能部は，さまざまなメタ情報を管理制御する。例えば，ＥＣＧメタ制御機能部は，メタ情報の有効期限を管理し，無効になったメタ情報は利用できないようにする機能である。
【００７９】
通信制御部２１０Ｇは，ＥＣＧ参照ＩＤをサーバに格納する，ＥＣＧ参照ＩＤからＥＣＧ情報を取得する，などの各種通信制御に加えて閲覧端末２５０へのＥＣＧ参照ＩＤの転送を行う機能部である。
【００８０】
その他機能部２１０Ｈは，例えば，ユーザプロファイル／操作履歴編集機能，嗜好分析エンジン，周辺機器制御機能，メディア制御装置などから構成される。ユーザプロファイル／操作履歴編集機能は，ユーザの嗜好情報や操作履歴を保存したり，編集したり，さらには，ユーザプロファイルやユーザ操作履歴ファイルにアクセスする機能部である。嗜好分析エンジンは，ユーザの嗜好を分析して，好みの番組やコンテンツを検索するエンジンである。周辺機器制御機能は，放送受信端末に接続される外部のＨＤＤやプリンタなどを制御する機能部である。メディア制御装置は，外部メモリメディア，フラッシュメモリなどの外部記憶メディアを制御する。なお，この外部メモリメディアを用いて，閲覧端末２５０や他の放送受信端末とのデータの受け渡しを行うことが可能である。
【００８１】
閲覧端末２５０は，すでに説明したように，少なくとも，とりおき情報獲得装置２５２とＥＣＧ情報獲得装置２５４とを備えている必要がある。さらに，具体的には，閲覧端末２５０は，表示・再生部２５０Ａ，通信制御部２５０Ｂ，ＥＣＧサービスソフトウェア部２５０Ｃ，ＥＣＧ情報とりおき処理部２５０Ｄ，メディア制御装置２５０Ｅ，操作部（例えば，キーボード，リモコンパッドなど）２５０Ｆ，ＥＣＧ情報とりおき格納部２５０Ｇなどから構成される。閲覧端末２５０の実機を構成するにあたっては，これらの装置を単独であるいは組み合わせて用いて，とりおき情報獲得装置やＥＣＧ情報獲得装置を構成する。
【００８２】
表示・再生部２５０Ａは，映像，ＥＰＧアプリケーション，ＥＣＧアプリケーションを表示・再生する機能部である。
【００８３】
通信制御部２５０Ｂは，ＥＣＧ参照ＩＤをサーバに格納する，ＥＣＧ参照ＩＤからＥＣＧ情報を取得する，などの通信制御に加えて閲覧端末２５０へのＥＣＧ参照ＩＤの転送を行う機能部である。
【００８４】
ＥＣＧサービスソフトウェア部２５０Ｃは，「ＥＣＧとりおき閲覧機能部」，「ＥＣＧとりおき送受信機能部」，「ＥＣＧメタ制御機能部」などから構成され，ＥＣＧサービスのデータ処理ならびに操作するためのＧＵＩを実現するためのソフトウェア機能部である。ＥＣＧとりおき閲覧機能は，すでにとりおきしたＥＣＧ情報を閲覧する機能部である。ＥＣＧとりおき送受信機能部は，蓄積したＥＣＧ参照ＩＤを通信制御部で閲覧端末に送信したり，他の機器から受信したりする機能部である。ＥＣＧメタ制御機能部は，さまざまなメタ情報を管理制御する。例えば，ＥＣＧメタ制御機能部は，メタの有効期限を管理し，無効になったメタは利用できないようにする機能である。
【００８５】
ＥＣＧとりおき処理部２５０Ｄは，「ＥＣＧ参照ＩＤ取得および蓄積機能部」，「ＥＣＧ参照ＩＤ取得および転送機能部」などから構成され，ＥＣＧ参照ＩＤ取得および蓄積，ＥＣＧとりおきイベント取得および自動イベント発生を行う機能部である。
【００８６】
メディア制御装置２５０Ｅは，外部メモリメディア，フラッシュメモリなどの外部記憶メディアを制御する。なお，この外部メモリメディアを用いて，閲覧端末２５０や他の放送受信端末とのデータの受け渡しを行うことが可能である。
【００８７】
操作部（例えば，キーボード，リモコンパッドなど）２５０Ｆは，放送受信端末を操作する機器であり，ＴＶの場合にはリモコン，ＰＣの場合にはマウスやキーボード，携帯電話やＰＤＡの場合にはミニパッドなどが該当する。
【００８８】
ＥＣＧとりおき格納部２５０Ｇは，ＥＣＧ情報をとりおき格納する機能部である。
【００８９】
図８には，本実施の形態にかかる放送番組提供システムを構成するとりおきサービス提供者３６０の概略構成が示されている。とりおき情報は，放送受信端末２１０，閲覧端末２５０の他，さまざまなとりおき情報保存場所に保存することが可能であるが，放送番組提供システムに，とりおき情報の保存を行うとりおきサービス提供者３６０を設けて，とりおき情報の保存および管理を行うように構成してもよい。なお，とりおきサービス提供者３６０は，必ずしも専属サーバとして構成する必要は無く，例えばユーザ情報管理サーバと兼用サーバとして構成することも可能である。
【００９０】
とりおきサービス提供者３６０は，図８に示すように，通信制御を行う通信制御部３６０Ａと，登録部３６０Ｂと，とりおき情報ＤＢ３６０Ｃ（とりおき情報保存場所４５０）を管理するとりおきサーバ３６０Ｄと，ユーザ情報ＤＢ３６０Ｅを管理するユーザ管理部３６０Ｆと，端末情報を管理する端末調査部３６０Ｇ，メニュー作成部３６０Ｈなどから構成される。
（４．とりおきイベントの発生と保存方法）
次に，図９を参照しながら，とりおきイベントの発生と保存方法について説明する。イベントの発生のタイミングは，番組視聴時にリモコンなどを操作してとりおきを行うオンタイムイベントと，事前設定情報に基づいて自動的にイベントを発火させる事前設定イベントがある。イベント発生の処理にあたっては，データ放送を利用してもよいし，利用しなくてもよい。また，とりおき情報（例えば，ＥＣＧ参照ＩＤ）の保存方法としては，ＥＣＧ参照ＩＤをそのまま保存してもよいし，ＥＣＧ参照ＩＤを検索するための情報を保存してもよい。なお，放送系や通信系などにより，ＥＣＧ参照ＩＤを送出することが可能な場合には，ＥＣＧ参照ＩＤをそのまま保存することができる。放送系や通信系などにより，ＥＣＧ参照ＩＤを送出することができない場合には，ＥＣＧ参照ＩＤを検索するための情報として，チャネル情報とイベント発生情報を保存し，その後必要に応じて，検索を実行することにより，ＥＣＧ参照ＩＤを取得するように構成してもよい。
【００９１】
さらに具体的に説明すると，とりおきイベントの発生と保存方法には，以下に示すような方法がある。
（４−１）  とりおきイベントをデータ放送コンテンツで受信し，データ放送コンテンツのスクリプトにより，データ放送コンテンツ内に設定されているＥＣＧ参照ＩＤを，ユーザの設定された保存先に蓄積することができる。
（４−２）  とりおきイベントをデータ放送コンテンツで受信し，データ放送コンテンツのスクリプトにより，通信サーバ内に設定されているＥＣＧ参照ＩＤを，ユーザの設定された保存先に蓄積することができる。
（４−３）  とりおきイベントを放送受信端末で受信し，チャンネル情報ととりおきイベント発生時刻をメモリに格納し，検索が必要になった際に，通信サーバに問い合わせて，ＥＣＧ参照ＩＤを，ユーザの設定された保存先に蓄積することができる。
（４−４）  リモコンの操作履歴項目をもとに，ＥＣＧとりおきボタンの操作時間，その前に押下されたチャネル番号をもとに，検索が必要になった際に，通信サーバに問い合わせて，ＥＣＧ参照ＩＤを取得して，蓄積することができる。
（４−５）  さらに，ユーザが自分で設定した内容をもとに処理することも可能である。その場合には，例えば，外出時に，ユーザが自分で，番組に関するキーワードと絶対時間を入力し，チャンネル番号を調べる。そのチャンネル番号と絶対時間をもとに，ＥＣＧサービスのサーバに照会を行い，ＥＣＧ参照ＩＤを取得し，蓄積することができる。
【００９２】
次に，とりおき時に，ＥＣＧサービスの指定した部分を蓄積する方法について説明する。この場合には，ＥＣＧ参照ＩＤをもとにして，ＥＣＧ情報を取得し，メニューとして表示し，その番組の情報そのものではなく，ＥＣＧ情報内の番組情報やコンテンツ情報を指定して保存するように構成することもできる。
【００９３】
次に，番組放送内の時間単位に設定されたＥＣＧサービスのとりおきの蓄積方法について，図１０を参照しながら説明する。図１０に示すように，番組内のセグメントという，番組開始から相対時間で細分化された情報についてもとりおき操作が可能である。
【００９４】
以下，その例を示す。２時間番組の構成が，３０分単位に分かれている場合，１つのかたまりを１つのセグメントとして扱うことが可能である。各セグメントにＥＣＧ情報が付加されている場合，とりおきについても同様に蓄積し，閲覧することができる。また，放送番組として野球中継が行われている場合に，ある打者の全打席など，ある意味を持たせて細分化された情報を束ねて１つのセグメントとして扱うこともできる。その１つのセグメントに対して，ＥＣＧ情報が付加されている場合，ＥＣＧ情報のとりおきが可能である。
（５．画面イメージ）
次に，図１１〜図１６を参照しながら，放送受信端末および閲覧端末における画面イメージについて説明する。
【００９５】
図１１は，放送受信端末において，リモコンのＥＣＧとりおき保存ボタンが押下された場合の保存画面イメージである。図示のように，ＥＣＧとりおきボタンを押下すると，放送映像上にＥＣＧとりおき処理が行われ，「番組×××のＥＣＧとりおきをしました。」というメッセージが表示され，しばらくすると消える。
【００９６】
図１２および図１３は，放送受信端末において，リモコンのＥＣＧメニューボタンが押下された場合の画面イメージである。図示のように，ＥＣＧメニューボタンを押下すると，放送映像上にＥＣＧメニューが表示される。なお，図１２は，縦型メニューが表示される実施形態を示し，図１３は，横型メニューが表示される実施形態を示す。さらに，ＥＣＧメニューにおいて，ＤＶＤを選択すると，図面右側に示すようなＥＣＧ情報がポップアップ表示される。図１２および図１３の画面イメージに示すように，ＥＣＧメニューには，「あとでみる」ボタンが用意されており，ＥＣＧ情報をとりおいて，後に閲覧を行いたい場合には，この「あとでみる」ボタンを押下して，ＥＣＧ情報に対応するとりおき情報をとりおく。
【００９７】
図１４〜図１６には，閲覧端末における画面イメージが示されている。
【００９８】
図１４は，テレビにおけるＥＣＧ閲覧画面イメージである。図示のように，放送受信端末や閲覧端末でＥＣＧ閲覧ボタンを押下すると，ＥＣＧ閲覧メニューが表示される。さらに，ＥＣＧ閲覧メニューにおいて，特定の番組ボタンを押下すると，その番組ボタンに関連するＥＣＧ情報が放映映像中に表示される。
【００９９】
図１５は，ＥＣＧ閲覧端末において，ＥＣＧ閲覧を行った場合の画面イメージであり，図示のようにＥＣＧ閲覧ボタンを押下すると，ＥＣＧとりおき一覧が表示される。さらに，ＥＣＧとりおき一覧において，特定の番組ボタンを押下すると，その番組ボタンに関連するＥＣＧ情報が放映映像中に表示される。
【０１００】
図１６も，図１５と同様に，ＥＣＧ閲覧端末において，ＥＣＧ閲覧を行った場合の画面イメージであり，図示のようにＥＣＧ閲覧ボタンを押下すると，ＥＣＧとりおき一覧が表示される。ただし，この場合には，ＥＣＧとりおき一覧はシート番組表形式で表示される。すなわち，放送局単位でＥＣＧとりおき一覧が表示され，タブメニューを用いて放送局の切り替えを行うことができる。さらに，ＥＣＧとりおき一覧において，特定の番組ボタンを押下すると，その番組ボタンに関連するＥＣＧ情報が放映映像中に表示される。
（６．とりおき情報保存の操作フロー）
次に，図１７〜図２４を参照しながら，とりおき情報保存の操作フローについて説明する。
【０１０１】
まず，図１７は，放送受信端末においてＥＣＧメニューを表示させるための操作フローである。ユーザが放送受信端末で，テレビを視聴している（Ｓ１０２）際に，番組に関係する情報を知るために，ＥＣＧメニューを表示して確認したい（Ｓ１０４）場合には，以下の操作を行う。まずＥＣＧとりおきサービスにログインしているかどうかの確認が行われる（Ｓ１０６）。まだログインが行われていない場合には，まずログインを行う（Ｓ１０８）。
【０１０２】
ログインの確認後，放送受信端末において，ＥＣＧメニューボタンを押下する（Ｓ１１０）。次いで，現在の番組または興味のある番組を選択する（Ｓ１１２）。さらに，興味のあるジャンルを選択する（Ｓ１１４）。このようにして，ＥＣＧ情報をもとに，有料チャンネルに契約したり，ペーパービューで番組を購入したり，物品（ＤＶＤ，ＣＤ）を購入したりすることができる（Ｓ１１６）。一連の作業が終了した後に，さらにＥＣＧメニュー操作を続けるかどうか判断がなされ（Ｓ１１８），さらに，操作を継続する場合には，ステップＳ１１２に戻り，再び番組選択を行い，操作を継続しない場合には，ステップＳ１０２に戻り，番組の視聴に戻る。
【０１０３】
図１８は，放送受信端末においてＥＣＧとりおき保存するための操作フローである。図示のように，ユーザがテレビを視聴している（Ｓ１２０）ときに，番組付属のＥＣＧ情報のとりおきをしたい場合には（Ｓ１２２），放送受信端末において，とりおきボタンを押下する（Ｓ１２４）。かかる操作により，とりおき情報がＥＣＧ情報から取得されて，所定のとりおき場所にとりおき情報が保存される。
【０１０４】
図１９および図２０は，閲覧端末において，とりおき閲覧をする場合の操作フローである。
【０１０５】
まず図１９は，とりおき閲覧のための準備処理のフローである。図示のように，事前準備をするために（Ｓ１３０），とりおき端末の環境設定として，とりおき情報の保存先（ネットワークサーバ，端末内ＨＤＤ，メディアなど）の指定を行う（Ｓ１３２）。次いで，とりおき端末の環境設定として，ユーザ登録を行い（Ｓ１３４），事前準備のフローを終了する（Ｓ１３６）。
【０１０６】
図１９に示す事前準備の完了後に，閲覧端末において，とりおき閲覧を行う（Ｓ１４０）。まず，とりおき蓄積先（とりおき情報保存場所）にとりおき情報のデータが存在するかが確認される（Ｓ１４２）。とりおき情報保存場所にデータが存在しない場合には，処理を終了する（Ｓ１４４）。とりおき情報保存場所にデータが存在する場合には，蓄積されたＥＣＧ情報の一覧が表示される（Ｓ１４６）。次いで，一覧の中から，現在の番組または興味のある番組を選択する（Ｓ１４８）。さらに，興味のあるジャンルを選択する（Ｓ１５０）。このようにして，放送番組の視聴時間や視聴環境にとらわれずに，ＥＣＧ情報をもとに，有料チャンネルに契約したり，ペーパービューで番組を購入したり，物品（ＤＶＤ，ＣＤ）を購入したりすることができる（Ｓ１５２）。一連の作業が終了した後に，さらにＥＣＧメニュー操作を続けるかどうか判断がなされ（Ｓ１５４），さらに，操作を継続する場合には，ステップＳ１４８に戻り，再び番組選択を行い，操作を継続しない場合には，処理を終了する（Ｓ１４４）。
【０１０７】
次いで，図２１および図２２を参照しながら，放送番組およびＥＣＧ情報がデータ放送として提供されている場合に，とりおき保存をする処理フローについて説明する。
【０１０８】
まずは，図２１におけるフローに従い事前準備を行う。事前準備をする場合には（Ｓ１６０），データ放送コンテンツとりおきメタ情報を設定し，スクリプト内で，リモコンキーイベントのＥＣＧとりおきボタンが押下された場合，環境設定されているとりおき場所に，とりおきメタ情報を保存するように記述する（Ｓ１６２）。次いで，上記メタ情報が正しく動作することを確認し（Ｓ１６４），その後に，データ放送サーバで放送時にとりおき情報を送出する（Ｓ１６８）。このようにして事前準備フローを終了する（Ｓ１７０）。
【０１０９】
図２１に示す事前準備が完了した後に，放送受信端末において，ＥＣＧとりおきボタンを押下し（Ｓ１７２），ＥＣＧとりおきボタンのリモコンキーイベントを放送受信端末で受信し，ＢＭＬエンジンのＢＭＬコンテンツに渡す（Ｓ１７４）。次いで，ＢＭＬコンテンツが存在するか判断される（Ｓ１７６）。ＢＭＬコンテンツが存在しない場合には，ＥＣＧサービスがありませんという確認メッセージが表示される（Ｓ１７８）。ＢＭＬコンテンツが存在する場合には，さらに，ＢＭＬコンテンツ内にとりおきメタ情報およびスクリプトが存在すかどうか判断される（Ｓ１８０）。存在しない場合には，ＥＣＧサービスがありませんという確認メッセージが表示される（Ｓ１８２）。存在する場合には，ＢＭＬコンテンツ内のスクリプトが実行され，環境設定で設定される保存場所に格納される（Ｓ１８４）。次いで，保存場所が存在しない，すでにデータが存在する，などの問題が発生しないで格納できたか判断される（Ｓ１８６）。保存時に問題が生じた場合には，正常に保存できませんでした，という確認メッセージが表示される（Ｓ１８８）。保存時に問題が生じない場合には，ＥＣＧとりおき保存が完了しました，という確認メッセージが表示され（Ｓ１９０），とりおき保存処理が終了する（Ｓ１９２）。
【０１１０】
次に，図２３および図２４を参照しながら，ネットワークサーバを利用して，とりおき閲覧をする場合のフローについて説明する。
【０１１１】
閲覧端末においてＥＣＧ閲覧ソフトウェアが起動されると（Ｓ２００），環境設定に設定されているとりおきネットワークサーバにアクセスして，登録されているユーザでログインする（Ｓ２０２）。次いで，ネットワークサーバにとりおきデータが存在するかどうかが確認される（Ｓ２０４）。とりおきデータが存在する場合には，ネットワークサーバからとりおきデータを１つ取得する（Ｓ２０８）。次いで，とりおきデータの使用期限が過ぎていないか判断される（Ｓ２１０）。使用期限内の場合には，とりおきデータをもとに一覧表示が行われ（Ｓ２１２），その後ステップＳ２０４に戻り，ネットワークサーバにとりおきデータが存在するかどうか判断される。使用期限外の場合にも，ステップＳ２０４に戻り，ネットワークサーバにとりおきデータが存在するかどうか判断される。
【０１１２】
ステップＳ２０４において，とりおきデータが存在しないと判断された場合には，とりおきデータが一覧表示されステップＳ２１４において操作が継続される。次いで，とりおき一覧から興味あるとりおきデータが選択されると（Ｓ２１６），ＥＣＧサービス提供者にアクセスし，ＥＣＧ情報を取得する（Ｓ２１８）。次いで，終了ボタンが押下されたか判断され（Ｓ２２０），終了ボタンが押下されていない場合には，再びステップＳ２１６に戻り，とりおき一覧における選択が行われる。終了ボタンが押下された場合には，一連の処理が終了する（Ｓ２２２）。
（６．とりおきメタデータの時間制御）
次に，図２５を参照しながら，とりおきメタデータの時間制御について説明する。とりおきメタデータは，番組放映中にリモコン操作などにより放送受信端末などに蓄積される。とりおきによるＥＣＧサービスは，とりおきメタデータに設定された使用期限内であり，このようにＥＣＧサービスの期間中にアクセスした場合に閲覧可能である。とりおき情報に基づいてＥＣＧ情報にアクセス可能な閲覧イベントに使用期限を設け，その期限だけ，活性化するように構成することができる。番組放映後の閲覧内容は，とりおき時点の放映中のＥＣＧ情報と，放映後に準備されているＥＣＧ情報が，別々に提供されている場合がある。その際には，ユーザが閲覧する内容を選択することもできる。またサービス提供者が，放映後に放映中のＥＣＧ情報の提供を許可していない場合には，放映後のＥＣＧ情報のみの閲覧となる。
【０１１３】
図２５に示すように，Ａ番組に関連してＥＣＧサービスが提供されているものとする。ＥＣＧ情報としては，Ａ番組放映前のＥＣＧ情報（例えば，予告情報）と，Ａ番組放映中のＥＣＧ情報（例えば，関連商品情報）と，Ａ番組放映後のＥＣＧ情報（例えば，犯人を教える情報）とに区分される。Ａ番組放映前のＥＣＧ情報は，Ａ番組放映前だけ，とりおきメタデータをもとに閲覧可能である。また，Ａ番組放映後のＥＣＧ情報は，Ａ番組放映後にのみ閲覧可能であり，サービス終了後には閲覧することができない。また，Ａ番組放映中のＥＣＧ情報は，放映中はもちろん，番組放映終了後も，所定期間は閲覧可能である。すなわち，Ａ番組放映中のＥＣＧ情報を閲覧可能な期間については，ユーザは，二種類のＥＣＧ情報を閲覧可能である。
（８．メタデータ例）
図２６〜図３０に，とりおき情報に付加されるメタデータ例を示す。
【０１１４】
図２６は，放送受信端末でとりおきするメタデータの記述例を示す。例えば，「usable_start_time=”2004/10/1:00:00:00”」 「usable_end_time=”2004/12/1:00:00:00”」という記述により，メタデータの使用可能期間は，２００４年１０月１日の０時から，２００４年１２月１日の０時までであることが分かる。「ecg_service=“http://www/AAA/ecg-service/”」という記述は，ＥＣＧサービスのＵＲＬアドレスを示す。「service_id_ref=”10”」の記述は，チャンネルが１０であることを示す。「action_date=”2004/10/5”」「action_time=”00:10:30”」「program_id_ref=”P12345678”」という記述は，番組が，２００４年１０月５日放送された番組番号Ｐ１２３４５６７８の１０分３０秒経過した時点であることを示す。
【０１１５】
図２７に，外出時に操作した際にとりおきするメタデータの記述例を示す。図２８に，番組メタデータの例を示す。図２９に，コンテンツメタデータの記述例を示す。図３０に，コンテンツ関連付け（ひも付け）メタデータの記述例を示す。
（９．ＥＣＧサービスの実際のフロー）
まず，図３１を参照しながら，オンタイムでＥＣＧ情報を閲覧する場合の画面構成例ついて説明する。図３１（Ａ）に示すように，放送番組がＥＣＧ情報を含んでいる場合には，画面上に，ＥＣＧ情報がある旨の表示が現れる。ここで，ユーザが，リモコンなどの操作装置により，ＥＣＧ情報の閲覧を要求すると，図３１（Ｂ）に示すように，放映番組が縮小表示されて，ＥＣＧ情報を示すウィンドウがポップアップされる。図示の例では，番組情報，関連コンテンツ情報，さらには，キーワード情報が画面上に表示される。
【０１１６】
次に，図３２を参照しながら，本実施の形態にかかるシステムによるとりおき閲覧サービスの具体的な操作について説明する。図示の例では，放送受信端末として，ＴＶとＳＴＢとの組み合わせ装置を用い，これらの装置をリモコンにより操作するものとする。
【０１１７】
番組視聴中に，ユーザが放映中の放送番組の番組情報やその番組に関連する関連情報にアクセスを希望したとする。その際には，ユーザはリモコンの「ＥＣＧボタン」を押下する。すると，リモコンによりトリガー受信装置（ＳＴＢ）に送信される。放送受信端末では，トリガーを受信したときに視聴していた番組を特定する。ここで，ユーザが，ＥＣＧ情報を，オンタイムではなく，放映後に見ることを希望した場合には，本実施の形態にかかるＥＣＧ情報とりおきサービスを利用する。その際には，放送受信端末は，保存する情報の選択メニューを表示
する。ユーザは，リモコンを操作して，その中から自分がみたい情報を選択する。このようにして選択された情報を保存することができる。
【０１１８】
ここで，選択された情報を保存する際のメタデータ処理の仕組みについて説明すると，全体のＩＤだけ保存しておいて，後で見るときにサーバから取得するようにしてもよい。また，選択された内容に応じて，項目ごとのＩＤだけを保存するようにしてもよい。あるいは，選択された内容に応じて，必要なメタデータ情報を保存するようにしてもよい。あるいは，受信機のスペックなどに応じて，保存して意味のあるメタデータだけを保存するようにしてもよい。あるいは，保存済みのデータを参照して，同じ情報があったら保存しないように構成してもよい。
【０１１９】
また，データを保存する場所のパターンと保存処理について説明すると，受信機内の記憶領域に保存してもよいし，外部記憶装置（メモリカード，ＩＣカードなど）に保存してもよいし，ネットワークを通じてユーザ情報管理サーバに保存してもよいし，ネットワークと通じて別の端末に保存してもよいし，メール送信で別の端末に保存しても良いし，リモコン側の記憶領域に保存しても良い。
【０１２０】
次に図３３を参照しながら，保存した番組情報の閲覧例について説明する。図３３（Ａ）には，とりおきした情報の閲覧例が示されている。例えば，本放送からのとりおき，録画番組視聴中のとりおきにかかわらず，とりおきした順番（古い順，新しい順）で表示することができる。あるいは，とりおきした情報群をユーザの嗜好情報と照らし合わせて，嗜好にあっているものから順に表示してもよい。
【０１２１】
図３３（Ｂ）には，部分的に保存した情報の表示の仕方の一例が示されている。図示のように，内部に保存された情報のメタデータ項目を選択して閲覧できるように表示してもよい。図３３（Ｃ）は，図３３（Ｂ）と同様の例であるが，図示のように，録画した番組に付加されたメタデータ項目を選択して閲覧できるように表示してもよい。
【０１２２】
図３４には，ＥＣＧ情報の保存内容と保存手段を決定する処理フローの一例が示されている。図示のように，処理が開始されると（Ｓ３０２），情報の保存内容が選択可能であるかどうかを判断する（Ｓ３０４）。保存内容の選択ができない場合には，あらかじめ指定された内容を保存内容として（Ｓ３０６），番組ＩＤなどの参照情報をもとに必要なＥＣＧ情報を取得するステップＳ３１４に進む。これに対して，情報の保存内容の選択が可能である場合には，ＥＣＧ保存内容の選択画面を提示する（Ｓ３０８）。ユーザは，表示された選択画面に基づいて，保存する項目を選択し（Ｓ３１０），選択された内容を保存内容とする（Ｓ３１２）。
【０１２３】
次いで，番組ＩＤなどの参照情報をもとに必要なＥＣＧ情報を取得する（Ｓ３１４）。その際に，取得したＥＣＧ情報をメールなどの手段により他の受信装置に送信するように構成することも可能である。次いで，関連コンテンツの情報が必要な場合には，それぞれのＩＤに基づいて，サーバから情報を取得する（Ｓ３１６）。その際に，すでに情報を表示している場合など，必要な情報がすでに取得済みの場合もあるが，その際には，ステップＳ３１６は省略することが可能である。
【０１２４】
次いで，ＥＣＧ情報の保存先を決定する（Ｓ３１８）。ＥＣＧ情報の保存先としては，例えば，当該受信装置内の記憶領域（Ｓ３２０Ａ），外部記憶装置（Ｓ３２０Ｂ），ユーザ情報管理サーバ（Ｓ３２０Ｃ）とすることができる。次いで，指定された保存先に指定された保存内容のＥＣＧ情報を保存して（Ｓ３２２），一連の処理を終了する（Ｓ３２４）。その際に，すでに保存されている情報については，重複して保存しないように処理することも可能である。例えば，番組「Ａ」に関連する商品コンパクトディスク「Ｂ」が関連付けられており，これらの情報を保存していたとする。次に情報を保存しようとした番組「Ｃ」にも同様に，コンパクトディスク「Ｂ」が関連付けられていた場合には，コンパクトディスク「Ｂ」に関する情報はすでに保存されているので，番組「Ｃ」の情報のみ保存するように構成することができる。
【０１２５】
図３５には，ＥＣＧ情報を閲覧する場合の処理フローが示されている。処理が開始すると（Ｓ３３０），ＥＣＧ情報の保存先から番組ＩＤを取得する（Ｓ３３２）。次いで，番組ＩＤを元に表示する情報を特定する（Ｓ３３４）。次いで，表示する情報内容が選択可能であるかどうか判断する（Ｓ３３６）。情報内容が選択できない場合には，あらかじめ指定された内容を表示内容として（Ｓ３３８），決定された表示内容に従いＥＣＧ情報を表示して（Ｓ３４６），一連の処理を終了する（Ｓ３４８）。これに対して，情報内容の選択が可能な場合には，番組ＩＤをもとに保存された情報を参照し，表示可能な情報の内容を提示する（Ｓ３４０）。ユーザは，リモコン等により情報を選択し，選択された内容を表示内容とする（Ｓ３４４）。次いで，決定された表示内容に従いＥＣＧ情報を表示して（Ｓ３４６），一連の処理を終了する（Ｓ３４８）。
【０１２６】
なお，本実施の形態によれば，現在見ている番組に関連する情報を「ＴＶ視聴を妨げることなく」，ＥＣＧサービスを活用する方法が提供される。そのために，本実施の形態においては，事前に簡単な設定をしておくだけで，視聴者の嗜好に近い番組やコンテンツを自動的にとりおきしておく支援機能を提供する。ユーザは時間のあるときに，蓄積された関連情報を閲覧し，ＥＣＧサービスを利用することができる。
【０１２７】
図３６に示すように，ユーザがＥＣＧサービスにログイン後に，「環境設定」画面を表示し，「とりおき予約」のチェックボックスにチェックする。次いで，図３７に示すように，ユーザは「キーワード一覧表」，「詳細表示画面」等から，Ｍｙ番組表やＭｙコンテンツ表にとりおきたいＥＣＧ情報を登録する。
【０１２８】
図３８には，Ｍｙ番組表に登録された番組，Ｍｙコンテンツ表に登録されたコンテンツに直接ひも付けられている関連コンテンツを自動的に「とりおき予約」する画面構成が示されている。ユーザがＭｙ番組表，Ｍｙコンテンツ表に登録するものは，ユーザの嗜好にマッチするものである。すなわち，ユーザが登録した番組にひも付けられた番組やコンテンツも嗜好に近いものである可能性が高い。このようにしてユーザの嗜好情報を獲得し，とりおきの際に，ユーザの嗜好情報を参照することにより，自動的に「とりおき予約」を行うことができる。
【０１２９】
図３９は，ユーザがＥＣＧサービス利用時に，蓄積された「とりおき」情報から気になるものを選択し，Ｍｙ番組表，Ｍｙコンテンツ表へ登録するイメージを示す説明図である。さらに図４０は，とりおき情報の一覧を示す画面構成であり，画面上には，必要に応じて，「メディアアイコン」，「ジャンル」，「タイトル」，「詳細画面遷移ボタン」，「Ｍｙ番組／Ｍｙコンテンツ登録ボタン」，「自動とりおき用キーワード」などが示される。また，一覧表はソート機能も有しており，ユーザ嗜好順，メディア種別順，ジャンル順などにソートすることが可能である。
【０１３０】
次に図４１を参照しながら，とりおき予約の操作フローについて説明する。まず，ＥＣＧサービスにサインインする（Ｓ３５０）。ついで，とりおき予約を利用するかどうかが判断され（Ｓ３５２），とりおき予約を利用しない場合には，そのままＥＣＧサービスを利用する（Ｓ３５４）。これに対して，とりおき予約を利用する場合には，環境設定画面に遷移する（Ｓ３５６）。ついで，「とりおき予約」のチェックボックスにチェックがされ，変更が反映される（Ｓ３５８）。次いで，キーワード一覧表，番組詳細画面，Ｍｙ番組表，Ｍｙコンテンツ表などから，気になった番組やコンテンツを見つける（Ｓ３６０）。次いで，Ｍｙ番組表，Ｍｙコンテンツに登録を行うかどうかが判断される（Ｓ３６２）。Ｍｙ番組表，Ｍｙコンテンツに登録を行わない場合には，ステップＳ３５４に戻り，そのままＥＣＧサービスを利用する。
【０１３１】
さらに図４２を参照すると，まずＭｙ番組表，Ｍｙコンテンツ表に登録された番組ＩＤ，コンテンツＩＤ，グループＩＤを取り出し，取得したＩＤからメタデータを取得する（Ｓ３７０）。次いで，ひもづけ情報があるかどうか判断される（Ｓ３７２）。ひも付け情報がない場合には，処理を終了する（Ｓ３７４）。ひも付け情報がある場合には，メタデータからひも付け情報参照ＩＤを取得し，さらに参照ＩＤからひも付け情報を取得し，関連コンテンツの内容が確認される（Ｓ３７６）。次いで，当該ユーザのユーザメタ情報から嗜好情報を取得して，照会が行われる（Ｓ３７８）。次いで，ユーザの嗜好にマッチングするものであるかどうかが判断され（Ｓ３８０），嗜好にマッチングしないものは除外され（Ｓ３８２），マッチングするものはとりおき画面に登録される（Ｓ３９０）。以上のように，とりおき予約処理が行われる。
【０１３２】
以上説明したように，本実施の形態にかかる放送番組提供システムによれば，ユーザは，ＥＣＧ情報に誘導するとりおき情報を，放送番組の視聴時にとりおくことができる。そのため，ユーザは，放送番組の視聴時間とＥＣＧ情報の閲覧時間をずらして，視聴／閲覧を行うことが可能である。さらに，ユーザは，閲覧端末により，とりおいておいたとりおき情報に基づいてＥＣＧ情報にアクセス可能なので，放送番組の視聴環境によらずＥＣＧ情報の閲覧ができる。
【０１３３】
以上添付図面を参照しながら本発明の好適な実施形態にかかる放送番組提供システム，放送受信端末，閲覧端末およびコンピュータプログラムについて説明したが，本発明はかかる例に限定されない。当業者であれば，特許請求の範囲に記載された技術思想の範疇内において各種の変更例または修正例に想到し得ることは明らかであり，それらについても当然に本発明の技術的範囲に属するものと了解される。
【０１３４】
なお，特に個別に言及はしていないが，上記システムや装置構成については，コンピュータにより読み取り可能な各種記憶メディアまたはネットワークを介して配信可能なコンピュータプログラムによって実現されることは言うまでなく，それらのコンピュータプログラムについても当然に本発明の技術的範囲に属するものと了解される。
【産業上の利用可能性】
【０１３５】
本発明は，ＥＣＧサービスを利用可能な放送番組提供システム，放送受信端末，閲覧端末およびコンピュータプログラムに適用可能である。
【図面の簡単な説明】
【０１３６】
【図１】本実施の形態にかかる放送番組提供システムの概略的な構成を示すブロック図である。
【図２】本実施の形態にかかる放送番組提供システムを利用したＥＣＧ情報のとりおき保存の概略を示すブロック図である。
【図３】本実施の形態にかかる放送番組提供システムを利用したＥＣＧ情報のとりおき情報閲覧の概略を示すブロック図である。
【図４】本実施の形態にかかる放送番組提供システムを構成する放送受信端末と閲覧端末の機器の操作イメージと操作時間の遷移を示す説明図である。
【図５】本実施の形態にかかる放送番組提供システムを構成する放送受信端末２１０と閲覧端末２５０の機器の組み合わせパターンを示す説明図である。
【図６】図６は，本実施の形態にかかる放送番組提供システムの放送系，ＣＡＴＶ系および通信系の送出・配信機器構成を示す説明図である。
【図７】本実施の形態にかかる放送番組提供システムを構成する放送受信端末２１０と閲覧端末２５０の構成の一例を示す構成図である。
【図８】本実施の形態にかかる放送番組提供システムを構成するとりおきサービス提供者３６０の概略構成が示されている。
【図９】本実施の形態にかかる放送番組提供システムによるとりおきイベントの発生と蓄積の処理方法を示す説明図である。
【図１０】本実施の形態にかかる放送番組提供システムによるとりおきイベントの発生と蓄積の処理方法の他の実施形態を示す説明図である。
【図１１】本実施の形態にかかる放送番組提供システムの放送受信端末において，ＥＣＧとりおき保存ボタンが押下された場合の画面イメージ図である。
【図１２】本実施の形態にかかる放送番組提供システムの放送受信端末において，ＥＣＧメニューボタンが押下された場合の画面イメージ図である。
【図１３】本実施の形態にかかる放送番組提供システムの放送受信端末において，ＥＣＧメニューボタンが押下された場合の画面イメージ図である。
【図１４】本実施の形態にかかる放送番組提供システムの放送受信端末におけるＥＣＧ閲覧の画面イメージ図である。
【図１５】本実施の形態にかかる放送番組提供システムの放送受信端末におけるＥＣＧ閲覧の画面イメージである。
【図１６】本実施の形態にかかる放送番組提供システムの放送受信端末におけるＥＣＧ閲覧の画面イメージ図である。
【図１７】本実施の形態にかかる放送番組提供システムの放送受信端末においてＥＣＧメニューを表示させるための操作フロー図である。
【図１８】本実施の形態にかかる放送番組提供システムの放送受信端末においてＥＣＧとりおき保存するための操作フロー図である。
【図１９】本実施の形態にかかる放送番組提供システムの閲覧端末においてＥＣＧとりおき閲覧をするための操作フロー図である。
【図２０】本実施の形態にかかる放送番組提供システムの閲覧端末においてＥＣＧとりおき閲覧をするための操作フロー図である。
【図２１】本実施の形態にかかる放送番組提供システムの放送受信端末においてデータ放送を利用してＥＣＧとりおき保存するための操作フロー図である。
【図２２】本実施の形態にかかる放送番組提供システムの放送受信端末においてデータ放送を利用してＥＣＧとりおき保存するための操作フロー図である。
【図２３】本実施の形態にかかる放送番組提供システムの閲覧端末においてネットワークサーバを利用してＥＣＧとりおき閲覧をするための操作フロー図である。
【図２４】本実施の形態にかかる放送番組提供システムの閲覧端末においてネットワークサーバを利用してＥＣＧとりおき閲覧をするための操作フロー図である。
【図２５】本実施の形態にかかる放送番組提供システムにおけるとりおきメタデータの時間制御を説明する説明図である。
【図２６】本実施の形態にかかる放送番組提供システムの放送受信端末でとりおきするメタデータの記述例を示す。
【図２７】本実施の形態にかかる放送番組提供システムにおいて外出時に操作した際のとりおきするメタデータの記述例を示す。
【図２８】本実施の形態にかかる放送番組提供システムにおける番組メタデータの記述例を示す。
【図２９】本実施の形態にかかる放送番組提供システムにおけるコンテンツメタデータの記述例を示す。
【図３０】本実施の形態にかかる放送番組提供システムにおけるコンテンツ関連付け（ひも付け）メタデータの記述例を示す。
【図３１】本実施の形態にかかる放送番組提供システムの放送受信端末に表示されるＥＣＧ情報通知画面の説明図である。
【図３２】本実施の形態にかかる放送番組提供システムの放送受信端末に表示されるＥＣＧ情報通知画面の説明図である。
【図３３】本実施の形態にかかる放送番組提供システムにおいて保存した番組情報の閲覧例について説明する説明図である。
【図３４】本実施の形態にかかる放送番組提供システムにおけるＥＣＧ情報の保存内容と保存手段を決定する処理フロー図である。
【図３５】本実施の形態にかかる放送番組提供システムにおけるＥＣＧ情報を閲覧する処理フロー図である。
【図３６】本実施の形態にかかる放送番組提供システムにおけるとりおき予約処理の一画面を示す説明図である。
【図３７】本実施の形態にかかる放送番組提供システムにおけるとりおき予約処理の一画面を示す説明図である。
【図３８】本実施の形態にかかる放送番組提供システムにおけるとりおき予約処理の一画面を示す説明図である。
【図３９】本実施の形態にかかる放送番組提供システムにおけるとりおき予約処理の一画面を示す説明図である。
【図４０】本実施の形態にかかる放送番組提供システムにおけるとりおき予約処理の一画面を示す説明図である。
【図４１】本実施の形態にかかる放送番組提供システムにおけるとりおき予約処理フローを示すフロー図である。
【図４２】本実施の形態にかかる放送番組提供システムにおけるとりおき予約処理フローを示すフロー図である。
【符号の説明】
【０１３７】
１００    放送番組提供システム
２００    利用者（ユーザ）
２１０    放送受信端末
２１２    ユーザ認証装置
２１４    とりおき情報獲得装置
２５０    閲覧端末
２５２    とりおき情報獲得装置
２５４    ＥＣＧ情報獲得装置
３００    サービス提供者
３１０    放送局（放送サービス提供者）
３２０    委託放送事業者
３３０    受託放送事業者
３４０    コンテンツプロバイダ
３５０    ＥＣＧサービス提供者
３６０    とりおきサービス提供者
４１０    放送系
４２０    ＣＡＴＶ系
４３０    通信系
４５０    とりおき情報保存場所
【図１】
2005341068.tif 000003
【図２】
2005341068.tif 000004
【図３】
2005341068.tif 000005
【図４】
2005341068.tif 000006
【図５】
2005341068.tif 000007
【図６】
2005341068.tif 000008
【図７】
2005341068.tif 000009
【図８】
2005341068.tif 000010
【図９】
2005341068.tif 000011
【図１０】
2005341068.tif 000012
【図１１】
2005341068.tif 000013
【図１２】
2005341068.tif 000014
【図１３】
2005341068.tif 000015
【図１４】
2005341068.tif 000016
【図１５】
2005341068.tif 000017
【図１６】
2005341068.tif 000018
【図１７】
2005341068.tif 000019
【図１８】
2005341068.tif 000020
【図１９】
2005341068.tif 000021
【図２０】
2005341068.tif 000022
【図２１】
2005341068.tif 000023
【図２２】
2005341068.tif 000024
【図２３】
2005341068.tif 000025
【図２４】
2005341068.tif 000026
【図２５】
2005341068.tif 000027
【図２６】
2005341068.tif 000028
【図２７】
2005341068.tif 000029
【図２８】
2005341068.tif 000030
【図２９】
2005341068.tif 000031
【図３０】
2005341068.tif 000032
【図３１】
2005341068.tif 000033
【図３２】
2005341068.tif 000034
【図３３】
2005341068.tif 000035
【図３４】
2005341068.tif 000036
【図３５】
2005341068.tif 000037
【図３６】
2005341068.tif 000038
【図３７】
2005341068.tif 000039
【図３８】
2005341068.tif 000040
【図３９】
2005341068.tif 000041
【図４０】
2005341068.tif 000042
【図４１】
2005341068.tif 000043
【図４２】
2005341068.tif 000044